(57)【要約】【課題】簡単な操作によりユーザの嗜好に合うタイトルの再生を支援する技術を提供する。【解決手段】複数のタイトルを選択的に再生する再生手段と、再生手段によるタイトルの再生中に、再生中のタイトルとは別のタイトルの再生を要求する入力を受け付ける入力手段と、タイトルの属性を示す情報であるタイトル属性情報と、タイトルの再生開始から別のタイトルの再生を要求する入力までの時間とに応じて、次に再生するタイトルである次再生タイトルを決定する決定手段とを特徴として備えている再生装置。【選択図】図１
2009147511.tif 000002
【特許請求の範囲】
【請求項１】
複数のタイトルを選択的に再生する再生手段と、
前記再生手段によるタイトルの再生中に、再生中のタイトルとは別のタイトルの再生を要求する入力を受け付ける入力手段と、
タイトルの属性を示す情報であるタイトル属性情報と、タイトルの再生開始から前記別のタイトルの再生を要求する入力までの時間とに応じて、次に再生するタイトルである次再生タイトルを決定する決定手段と、
を具備することを特徴とする再生装置。
【請求項２】
前記入力手段は、前記再生手段によるタイトルの再生中に、そのタイトルを気に入ったことを示す入力と、そのタイトルが気に入らないことを示す入力とをさらに受け付けることができ、
前記決定手段は、前記入力手段に入力されたそのタイトルが気に入ったことを示す入力又はそのタイトルが気に入らないことを示す入力に応じて次再生タイトルを決定することを特徴とする請求項１に記載の再生装置。
【請求項３】
複数のタイトルを選択的に再生する再生手段と、
前記タイトルをタイトルの類似度に応じてグループ化したデータであるグループ化データを記憶するグループ化データ記憶手段と、
前記再生手段によるタイトルの再生中に、所定の入力を受け付ける入力手段と、
前記入力を入力手段が受け付けた場合、前記グループ化データを参照して、再生中のタイトルと同一のグループ又は別のグループに属するタイトルを次再生タイトルに決定する決定手段と、
を具備することを特徴とする再生装置。
【請求項４】
前記入力手段は、前記再生手段によるタイトルの再生中に、そのタイトルが気に入ったことを示す入力を受け付け、
前記決定手段は、前記入力手段がそのタイトルが気に入ったことを示す入力を受け付けた場合、前記再生中のタイトルと同じグループに属する別のタイトルを次再生タイトルに決定することを特徴とする請求項３記載の再生装置。
【請求項５】
前記入力手段は、前記再生手段によるタイトルの再生中に、そのタイトルが気に入らないことを示す入力を受け付け、
前記決定手段は、前記入力手段がそのタイトルが気に入らないことを示す入力を受け付けた場合、前記再生中のタイトルと同じグループに属する別のタイトルを次再生タイトルに決定することを特徴とする請求項３記載の再生装置。
【請求項６】
前記再生手段が次再生タイトルを再生する場合、タイトルの再生と同時に、同じグループのタイトルを同一列に並べ、各グループを縦に並べた二次元表示されたタイトル配置マップを表示することを特徴とする請求項３又は４に記載の再生装置。
【請求項７】
タイトル及びそのタイトルの短縮版を再生可能な再生手段と、
前記再生手段による短縮版の再生中に、再生中の短縮版に対応するタイトルの再生を要求する入力を入力手段と、
前記入力があった場合は再生中の短縮版に対応するタイトルを再生させ、前記短縮版の再生終了まで前記入力がなかった場合には別の短縮版を再生させる決定手段と、
を具備することを特徴とする再生装置。
【請求項８】
前記短縮版は、対応するタイトルの見どころを自動的に検出して生成されたデータであるを特徴とする請求項７記載の再生装置。
【請求項９】
前記短縮版は、元のタイトルのチャプター情報から生成されたデータであることを特徴とする請求項７記載の再生装置。
【請求項１０】
前記短縮版は、タイトルとは別に用意されたタイトルの見どころ映像からなるデータであることを特徴とする請求項７記載の再生装置。
【請求項１１】
前記決定手段は、再生中のタイトルが気に入ったことを示す入力を前記入力手段が受け付けた場合、現在再生しているタイトルと同じシリーズであり、かつ、次の放送回であるタイトルを次再生タイトルに決定することを特徴とする請求項２又は請求項４に記載の再生装置。
【請求項１２】
前記決定手段は、再生中のタイトルが気に入った旨を示す入力を前記入力手段が受け付けた場合、現在再生しているタイトルと他のタイトルとの類似度を計算して、類似度の最も高いタイトルを次再生タイトルに決定することを特徴とする請求項２又は請求項４に記載の再生装置。
【請求項１３】
前記決定手段は、再生中のタイトルが気に入らない旨を示す入力を前記入力手段が受け付けた場合、現在再生しているタイトルと他のタイトルとの類似度を計算して、類似度の最も低いタイトルを次再生タイトルに決定することを特徴とする請求項２又は請求項５に記載の再生装置。
【請求項１４】
前記決定手段は、次再生タイトルを決定するための基準を複数有しており、再生中のタイトルが気に入らない旨を示す入力が行われた場合、前記基準を別の基準に変更することを特徴とする請求項２又は請求項５に記載の再生装置。
【請求項１５】
前記再生手段が次再生タイトルを再生する場合、タイトルの再生と同時に当該タイトルの情報を表示することを特徴とする請求項１、請求項３、又は請求項７のいずれかに記載の再生装置。
【請求項１６】
前記決定手段は、次再生タイトルを複数個決定し、前記再生手段は、現在再生しているタイトルと同時に複数の次再生タイトルを表示することを特徴とする請求項１、請求項３、又は請求項７記載の再生装置。
【請求項１７】
前記決定手段は、番組表に記載されている放送予定の番組が他のタイトルよりも再生するにふさわしいとしたとき、次再生タイトルを決定する代わりに、前記番組の録画予約を実行することを特徴とする請求項１、請求項３、又は請求項７のいずれかに記載の再生装置。
【請求項１８】
前記決定手段は、ダウンロードできるタイトルが他のタイトルよりも再生するにふさわしいとしたとき、ダウンロードをすることを特徴とする請求項１、請求項３、又は請求項７のいずれかに記載の再生装置。
【請求項１９】
前記決定手段は、ユーザが購入、もしくは、レンタルできるコンテンツ商品、もしくは、そうできる予定のコンテンツ商品が他のタイトルよりも再生するにふさわしいとしたとき、次再生タイトルを決定する代わりに、コンテンツ商品の情報の表示、及び、購入する手続きを行う画面を表示させることを特徴とする請求項１、請求項３、又は請求項７記載の再生装置。
【発明の詳細な説明】
【技術分野】
【０００１】
本発明は、再生装置に関し、より詳しくはユーザの嗜好に応じてユーザの好みにあったタイトルにたどり着くことができるようにタイトルの再生を行うことができる再生装置に関する。
【背景技術】
【０００２】
近年では、ＨＤＤ（Hard Disk Drive）やＤＶＤ等の情報記録媒体の記録容量が飛躍的に増大し、大容量の情報記憶媒体を備えた再生装置（例えば、ＨＤＤレコーダなど）が普及するようになった。そして、このような再生装置を使用することにより、ユーザは興味ある放送番組の多くを記憶容量の制限を気にすることなく録画することが可能となっている。
【０００３】
大容量の情報記録媒体を備えた再生装置は、ユーザに自由に好みのコンテンツ（映画、テレビ番組、音楽クリップなど、以下一つの意味的まとまりを有するコンテンツを「タイトル」と呼ぶこととする）を記録しておくことを許す一方、大量の記録済みタイトルの中から好みのものを選び出すことが必要となっている。すなわち、記録済みタイトルの視聴者であるユーザが、再生装置に録画済みのテレビ番組を視聴し、そのテレビ番組が気に入らなかったとき、ユーザは次の録画済み番組を選択する操作をわざわざ行わなければならないという問題がある。また、ユーザがそのテレビ番組が気に入って続きが見たいときには、そのテレビ番組の続きである次の録画済み番組を選択する操作をわざわざ行わなければならないという問題がある。
【０００４】
この問題を解決する技術として、録画されたタイトルをユーザが実際に視聴しているか否かを判定し、その判定結果に基づいてユーザの嗜好度を増減させ、より適切な番組をユーザに提供する技術が提案されている（例えば、特許文献１）。この従来技術は、長期的なデータとして嗜好情報を蓄積することを目的とし、嗜好情報の更新を主眼においている。
【特許文献１】特開２００５-８００１３号公開公報（段落［００９３］、段落［０１３２］など）
【発明の開示】
【発明が解決しようとする課題】
【０００５】
自動予約や録画を勧めるには上記従来技術が用いる嗜好情報が効果的であるが、再生支援機能としての推薦を考慮する場合において、そもそも録画されたもの自体はユーザの興味あるものであり、それらの区別は嗜好情報で解決することは難しい。また、興味あるものが多数録画された状態から、現在何を再生したいかということが重要であり、今の気分に合うものを再生したいという要求には長期的なユーザの嗜好情報の蓄積では応えることができない。
【０００６】
そこで、本発明は上記事情を考慮してなされたもので、視聴者が単一の操作で現在再生しているタイトルに対して興味があるかないのかを考慮して、単一の操作であるスキップ操作がされたとき、現在のタイトルに対する再生時間を考慮して、別のタイトルを再生する。現在のタイトルに対する再生時間が短い状況でスキップ操作がされれば、現在再生しているタイトルには現在の気分に合わないと判断し、現在再生しているタイトルと異なるタイトルを再生する。現在のタイトルに対する再生時間が長い状況でスキップ操作がされる、もしくは、タイトルの末尾まで視聴されれば、現在再生しているタイトルには現在の気分に合うと判断し、現在再生しているタイトルと類似するタイトルを再生する。このように、ユーザの今の気分に合うコンテンツを単一の操作で探索する方法を提供するものである。
【０００７】
本発明の目的は、簡単な操作によりユーザの嗜好に合うタイトルの再生を支援する技術を提供することにある。
【課題を解決するための手段】
【０００８】
上記課題を解決する手段として、本発明は以下の特徴を備える。
本発明の第１の態様は、複数のタイトルを選択的に再生する再生手段と、再生手段によるタイトルの再生中に、再生中のタイトルとは別のタイトルの再生を要求する入力を受け付ける入力手段と、タイトルの属性を示す情報であるタイトル属性情報と、タイトルの再生開始から別のタイトルの再生を要求する入力までの時間とに応じて、次に再生するタイトルである次再生タイトルを決定する決定手段とを特徴として備えている。
【０００９】
本発明の第２の態様は、複数のタイトルを選択的に再生する再生手段と、タイトルをタイトルの類似度に応じてグループ化したデータであるグループ化データを記憶するグループ化データ記憶手段と、再生手段によるタイトルの再生中に、所定の入力を受け付ける入力手段と、入力を入力手段が受け付けた場合、グループ化データを参照して、再生中のタイトルと同一のグループ又は別のグループに属するタイトルを次再生タイトルに決定する決定手段とを特徴として備えている。
【００１０】
本発明の第３の態様は、タイトル及びそのタイトルの短縮版を再生可能な再生手段と、再生手段による短縮版の再生中に、再生中の短縮版に対応するタイトルの再生を要求する入力を入力手段と、入力があった場合は再生中の短縮版に対応するタイトルを再生させ、短縮版の再生終了まで入力がなかった場合には別の短縮版を再生させる決定手段とを特徴として備えている。
【発明の効果】
【００１１】
本発明によれば、簡単な操作によりユーザの嗜好に合うタイトルの再生を支援することができる。
【発明を実施するための最良の形態】
【００１２】
以下、図面を参照しながら本発明の実施の形態を説明する。  
［１．発明の概要］
本発明は、大容量のＨＤＤ内の録画済みタイトルを自動的に再生し、簡単な操作のみでそれに対する評価を行い、結果、気に入った映像にたどり着くことができる発明である。
【００１３】
本発明にかかる再生装置は自動的にタイトルの再生を開始する。再生されたタイトルを視聴したユーザは、そのタイトルが気に入らなければ気に入らない旨をあらわす操作をする。その場合、再生装置は今再生したタイトルと類似しない別のタイトルを選択し、これを再生する。一方、ユーザは再生されたタイトルを気に入れば、気に入った旨をあらわす操作をする。その場合、再生装置は今再生したタイトルと類似する別のタイトルを再生する。
【００１４】
気に入った旨をあらわす操作として、気に入った旨を示すボタンの押下や、「何も操作しない」、「同ジャンル移動指示」などがあり、気に入らない旨をあらわす操作として、気に入らない旨を示すボタンの押下や、ジャンルシフト操作、ザッピングのようにタイトルを切り替える操作などがある。
【００１５】
また、ある操作があった後、タイトルを切り替えなくても、「次候補表示ボタン」のようなタイトル再生を継続しながら現在のタイトルと再生時間を考慮した複数の候補を表示するような画面仕様を用いても本発明は成立する。
【００１６】
また、本発明にかかる再生装置がユーザに見せるタイトルの内容は、その本編（短縮、要約されていないもの）でなくともよく、本発明にかかる再生装置は、ダイジェスト再生など再生時間を短縮したものを再生するものであってもよい。短縮したものを再生する方式の場合、ユーザは気に入らなければ、何も操作しない。この場合、再生装置は気に入らなかったと判断して、他のタイトル（或いはその短縮したもの）を見せる。このとき、今再生したタイトルと類似したタイトルを見せてもユーザは気に入ってくれない可能性が高いので、類似しないようなタイトルを選ぶようにしてよい。ユーザが短縮映像に興味を持った場合、本編を最初から見せる専用の操作を行うと本編を最初から視聴できる。また、予約やダウンロードなど、本編を入手する手続きを取ってもよい。
【００１７】
［２．第１の実施の形態］
以下に、本発明の第１の実施の形態について説明する。本発明の第１の形態は、単一の操作で、ユーザが好みのタイトルにたどり着くことができるように、記憶されているタイトルなどを再生する再生装置として提案される。
【００１８】
［２．１．再生装置の構成例］
図１は、本実施形態にかかる再生装置の構成を示すブロック図である。なお、再生装置であればどのような記憶媒体を用いるかにかかわらず、本発明の範囲内である。
【００１９】
この再生装置は、例えば、ＴＶ放送番組、音楽クリップ、映画、ビデオクリップ、ＤＶＤコンテンツ等の映像信号及び音声信号を含むデータ（以下、単に「タイトル」と称する）をデジタル記録及び再生することが可能なビデオレコーダ１０として実現されている。
【００２０】
ビデオレコーダ１０は、リモコンユニットＲから赤外線信号などによって送信されるリモコンコードに応じて、放送番組の記録及び再生動作を制御するように構成されている。本ビデオレコーダ１０は、リモコンユニットＲなどが操作されることで予めユーザによって指定されたキーワードに関連する放送番組等をデジタル記録する機能も有している。さらに、ビデオレコーダ１０は、インターネットに接続するためのネットワーク通信機能を有しており、インターネット等のネットワークを通じて放送局Ｔやオンデマンドの映画サイトなどから提供される番組やコンテンツを受信もしくはダウンロードすることができる。
【００２１】
ビデオレコーダ１０は、図１に示すように、通信部１１、ＢＳ／ＣＳ（Broadcasting  Satellite／Communication  Satellite）チューナ部１２、地上波チューナ部１３、入力側セレクタ部１６及び出力側セレクタ部１７、ハードディスクドライブ部１８、エンコーダ部２１、デコーダ部２３、インタフェース（Ｉ／Ｆ）部２７、制御部３０、操作部３２、表示部３３、再生タイトル決定部３４、タイトル属性情報記憶部３５、表示制御部３６等を備えている。
【００２２】
通信部１１は、ビデオレコーダ１０をネットワーク接続機器Ｍ（例えば、モデム、ルータなど）を介してインターネット等のネットワークに接続するためのデバイスであり、例えばインターネットを介して放送局Ｔとの通信を実行するため、データを電気信号に変換し、所定の通信プロトコルを実行するネットワークカード、ネットワークボードなどである。ＢＳ／ＣＳチューナ部１２は、ＢＳ及びＣＳに対応する放送番組データの受信とチャンネル選択のための選局処理とを行う放送受信部であり、ＢＳ／ＣＳ対応のアンテナ１２ＡＴに接続されている。地上波チューナ部１３は、地上波アナログ放送番組データの受信とチャンネル選択のための選局処理とを行うデバイスであり、外部のＴＶアンテナ１３ＡＴに接続されている。
【００２３】
入力側セレクタ部１６は、通信部１１、ＢＳ／ＣＳチューナ部１２又は地上波チューナ部１３からそれぞれ入力される信号又はタイトルのデータを選択して、エンコーダ部２１に出力する入力制御機能を有する。
【００２４】
また、入力側セレクタ部１６には、ＢＳ／ＣＳチューナ部１２及び地上波チューナ部１３からそれぞれ重畳されて受信される複数の電子番組表（ＥＰＧ：Electric  Program  Guide）が入力される。このＥＰＧは、例えば８日分の放送予定の放送番組の番組情報を含んでいる。この番組情報は、番組名、そのタイトルがどのような内容であるかを示すジャンル、放映時間等を示す情報を含む。
【００２５】
入力側セレクタ部１６に入力されたＥＰＧは、制御部３０の制御の下、出力側セレクタ部１７を介して受像機４１及びインタフェース（Ｉ／Ｆ）部２７に出力されるとともに、後述するタイトル属性情報処理部３５へ出力され、タイトル属性情報処理部３５によって記憶される。
【００２６】
エンコーダ部２１は、制御部３０の制御の下、ＢＳ／ＣＳチューナ部１２及び地上波チューナ部１３から入力される放送番組のデータ又は画像信号／音声信号をデジタル圧縮符号化するためのエンコード処理を実行するデバイスである。このエンコード処理により、放送番組は、例えばＭＰＥＧ２又はＤＶＤビデオフォーマット等に対応した、圧縮符号化されたデジタルデータ列に変換される。エンコーダ部２１によって得られる圧縮符号化された放送番組は、デコーダ部２３に入力される。
【００２７】
ハードディスクドライブ部１８は、制御部３０の制御の下、エンコーダ部２１によって圧縮符号化されたデジタルデータ列に変換された放送番組を記録する処理及び記録された放送番組を読み出す処理を実行するディスク記憶装置である。ハードディスクドライブ部１８に記憶されている放送番組には、ヘッダ情報が付加されている。このヘッダ情報は、当該放送番組のタイトル名等を示す番組情報を含む。
【００２８】
光ディスクドライブ部１９は、ＤＶＤ−ＲＡＭ／ＤＶＤ−Ｒ等の記録型メディアＤに対するリード／ライト処理を実行する。ＤＶＤ（Digital  Versatile  Disc）ドライブは、ＤＶＤ−ＲＯＭメディアのような記録型メディアＤからのデータのリード処理も実行することができる。圧縮符号化されたデジタルデータ列に変換された放送番組は、まず、ハードディスクドライブ部１８に記録される。ハードディスクドライブ部１８に記録された放送番組は、必要に応じて、ＤＶＤ−ＲＡＭ／ＤＶＤ−Ｒ等の記録型メディアＤに記録される（ダビング）。
【００２９】
一時記憶部２０は、ハードディスクドライブ部１８及び光ディスクドライブ部１９への書き込みデータ又は、ハードディスクドライブ部１８及び光ディスクドライブ部１９からの読み出しデータを一時的に記録するためのバッファメモリである。
【００３０】
また、ハードディスクドライブ部１８及び光ディスクドライブ部１９から読み出される圧縮符号化された放送番組は、一時記憶部２０を介してデコーダ部２３に送られる。なお、ハードディスクドライブ部１８と、光ディスクドライブ部１９のいずれか一方をディスクドライブとして設けてもよい。
【００３１】
本発明の再生手段に相当するデコーダ部２３は、制御部３０の制御の下、圧縮符号化された放送番組を復号するためのデコード処理を実行するデバイスである。このデコード処理によって復号された放送番組は、出力側セレクタ部１７に出力される。
【００３２】
出力側セレクタ部１７は、デコーダ部２３から入力された放送番組又は各チューナから受信されたＥＰＧをバスＢ及び出力端子ＯＵＴを介してモニタ４１（例えば、テレビ受像機）に、又はインタフェース（Ｉ／Ｆ）部２７を介して外部に送信するための制御機能を有する。モニタ４１は、ビデオレコーダ１０に接続される動画像などを表示する表示装置である。
【００３３】
制御部３０は、ビデオレコーダ１０の各コンポーネントの動作を制御する機能を有し、例えば、メインＣＰＵ（Central  Processing  Unit）である。
本発明の入力手段に相当する操作部３２は、ユーザによる操作入力を受け付ける機能を有し、例えば、操作部３２自身で生成する信号、リモコンユニットＲそれぞれから送信される信号を処理するためのサブＣＰＵである。操作部３２はリモコンコード処理機能を有している。このリモコンコード処理機能は、操作部３２に内蔵されるリモコンインタフェースを介してリモコンユニットＲから受信したリモコンコードによって要求された動作を制御部３０と共同して実行する機能である。
【００３４】
表示部３３は、ビデオレコーダ１０本体に設けられたステータス表示用の表示装置（例えば、液晶ディスプレイ）であり、例えば、現在の視聴、再生及び記録対象となっている放送番組のタイトル、チャンネル番号、再生／記録に関する進捗状況などのステータス情報の表示に用いられる。例えば、ユーザがリモコンユニットＲを操作することによってあるＴＶ番組の録画／再生を指示した場合には、ビデオレコーダ１０によって実行される録画／再生処理の対象となる放送番組のタイトル名などが表示部３３に表示される。
【００３５】
リモコンユニットＲは、ユーザの操作指示をビデオレコーダ１０に入力する装置である。リモコンユニットＲと操作部３２は有線又は無線で通信可能となっている。
この実施の形態では、リモコンユニットＲは少なくともスキップボタンを有している。図２は、第１の実施の形態にかかるリモコンユニットＲの斜視図である。図示のように、リモコンユニットＲには、スキップボタン２０１が設けられている。なお、リモコンユニットＲには、スキップボタン２０１の他に例えば機能キー及びテンキー等が設けられていてもよい（図示せず）。機能キーには、例えば、ビデオレコーダ１０の電源オン・オフボタンに加え、放送番組の記録／再生動作を制御するためのボタン群（再生ボタン、停止ボタン、一時停止ボタン、記録ボタン、早送り・早戻しボタン等）と、上述の録画予約機能及び録画予約された放送番組の予約情報を表示する機能等を操作するためのボタン群などが設けられている。テンキーには、数字・記号などの入力のための複数のボタンを備えており、例えばチャンネル番号の入力や、タイトル名の編集などに利用される。
【００３６】
本発明の入力手段に相当するリモコンユニットＲにおいては、上述の操作部３２のボタン毎にそれに対応するキーコードが割り当てられている。あるボタンがユーザによって操作されると、そのボタンに対応するキーコードが赤外線信号等によってビデオレコーダ１０に送信される。本ビデオレコーダ１０においては、リモコンコード毎それぞれに対応して実行すべき動作が規定されている。ユーザは、リモコンユニットＲを操作することにより、現再生タイトルから次再生タイトルへのスキップに加えて、例えば、放送番組の記録／再生、録画予約、録画予約一覧の表示、録画済み番組の一覧表示などの動作の実行を、ビデオレコーダ１０に指示することができる。
【００３７】
図１に戻り、再生装置の構成例の説明を続ける。  
本発明の決定手段に相当する再生タイトル決定部３４は、現在再生中のタイトルである現再生タイトルと他のタイトル（ハードディスク）との類似度を算出し、リモコンユニットＲ又は操作部３２によるユーザ操作に応じて、現再生タイトルの次に再生するタイトルである次再生タイトルを決定し、これを再生させるように制御部３０、或いはデコーダ部２３に直接指示をする機能を有する。また、再生タイトル決定部３４は、再生を開始する際にユーザがタイトルを指定しない場合を除いて、再生するタイトルを自動的に決定する機能を有していてもよい。
【００３８】
タイトル属性情報処理部３５は、ビデオレコーダ１０が再生可能なタイトルの全部又は一部について、それぞれの属性を示した情報であるタイトル属性情報を生成し、更新し、記憶する機能を有する。なお、タイトル属性情報はハードディスクドライブ部１８に記憶させてもよく、その場合はタイトル属性情報処理部３５はタイトル属性情報の生成、更新のみ行うこととなる。ここで、「タイトル属性情報」とは、タイトルの属性を示す情報であって、タイトルに関する情報であれはどのような情報でもよい。
【００３９】
図３にタイトル属性情報のデータ構成例を示す。この例では、タイトル属性情報は、あるタイトルに対応するＥＰＧ情報３０１と、操作履歴情報３０２とで構成されている。ＥＰＧ情報３０１は、対応するタイトルについてＥＰＧから取得可能なデータ項目を含んでおり、例えば、ジャンル、放送時間、放送チャンネル番号などである。操作履歴情報３０２は、対応するタイトルについてされた操作に関する情報であって、例えば視聴回数（再生回数）、視聴時間（再生時間）、保存先フォルダ名などである。操作履歴情報３０２は、タイトル属性情報処理部３５が操作部３２の出力信号に基づいて生成し、記録する。
タイトル属性情報処理部３５によって記憶されたタイトル属性情報は、再生タイトル決定部３４が類似度を算出する場合のデータとして使用される。
【００４０】
表示制御部３６は、タイトルの再生画像に加えて、様々な情報をモニタ４１に表示させる機能を有し、例えば再生中のタイトル情報、タイトル配置マップ、他のタイトルを同時に表示させるための小ウインドウなどを表示させる機能を有する。
【００４１】
［２．２．ビデオレコーダの動作例］
［２．２．１．再生処理の例］
次に、第１の実施の形態にかかるビデオレコーダ１０の動作例について説明する。図４に、ビデオレコーダ１０の再生処理の例を示すフローチャートを示す。以下、図４を参照しながらビデオレコーダ１０の動作例である再生処理を説明する。
【００４２】
まず、ユーザがビデオレコーダ１０にタイトルの再生を開始させる入力を行ったものとする。ユーザはビデオレコーダ１０を起動させる。ビデオレコーダ１０は起動されたら自動的にあるタイトルを再生し、ユーザは表示されている映像を視聴する。ビデオレコーダ１０、より詳しくは再生タイトル決定部３４は、タイトルの再生を開始する（ステップＳ１０）。なお、再生処理開始時においてどのタイトルを再生するかは、どのように決めてもかまわない。例えば、従前の再生履歴などから最もユーザの嗜好に合致するタイトルをビデオレコーダ１０が自動的に判定するようにしてもよい。
【００４３】
次に、ビデオレコーダ１０、より詳しくは再生タイトル決定部３４は再生中のタイトルの再生時間及び／又は再生位置を計測し、記録する（ステップＳ２０）。
次に、ビデオレコーダ１０、より詳しくは再生タイトル決定部３４はスキップ要求操作が行われたか否かを判定する（ステップＳ３０）。スキップ要求操作は、タイトルの再生が開始した後、ユーザはそのタイトルを今視聴したくないと思ったとき、行う操作である。この実施の形態では、リモコンユニットＲのスキップボタン２０１の押下がスキップ要求操作に相当する。
【００４４】
スキップ要求操作がなされたと判定した場合（ステップＳ３０、Ｙｅｓ）、ビデオレコーダ１０は、現再生タイトルの再生時間及び／再生位置に基づいて、次に再生を開始する次再生タイトルを決定する（ステップＳ４０）。一つの具体例を述べると、再生時間が所定の時間以下である場合、或いは再生位置が所定の位置より先頭に近い場合、ビデオレコーダ１０、より詳しくは再生タイトル決定部３４は現在のユーザの気分が再生したタイトルを気に入らないと推測し、再生したタイトルと類似しないタイトルを選択し、次再生タイトルに決定する。例えば、１時間のバラエティ番組に対して１分見ただけでタイトルスキップ操作したら、次はバラエティとは異なるドキュメンタリーを再生させる。ユーザは再度その映像を今視聴したくないと思ったとき、タイトルスキップ操作し、ザッピングを繰り返す。一方、再生時間が所定の時間以上、或いはそれを超える場合、及び／又は再生位置が所定の位置より先頭から遠い場合、すなわち再生が進み、ユーザがタイトルの最後のほうでタイトルスキップ操作したとき、もしくは、タイトルスキップ操作せずタイトルの最後まで再生したとき、ビデオレコーダ１０、より詳しくは再生タイトル決定部３４は現再生タイトルと類似するタイトルを再生する。例えば、ある映画を最後まで再生したら、次は別の映画を再生させる。
【００４５】
次再生タイトルが決定し、これの再生が開始するとビデオレコーダ１０、より詳しくは再生タイトル決定部３４は再びステップＳ２０に戻り、再生中のタイトルの再生時間及び／又は再生位置を計測し、記録する（ステップＳ２０）。
【００４６】
一方、ステップＳ３０においてスキップ要求操作がないと判定した場合（ステップＳ３０、Ｎｏ）ビデオレコーダ１０、より詳しくは再生タイトル決定部３４は再生停止操作があったか否かを判定する（ステップＳ５０）。再生停止操作は、ユーザが再生中のタイトルの再生を中止することを求める処理であって、例えばリモコンユニットＲの停止ボタン（図略）の押下である。
【００４７】
再生停止操作があったと判定した場合（ステップＳ５０、Ｙｅｓ）、ビデオレコーダ１０、より詳しくは再生タイトル決定部３４は再生を停止し、再生処理を終了する。一方、再生停止操作がなかったと判定した場合（ステップＳ５０、Ｎｏ）、ビデオレコーダ１０、より詳しくは再生タイトル決定部３４は再びステップＳ２０に戻り、再生中のタイトルの再生時間及び／又は再生位置を計測し、記録する（ステップＳ２０）。
【００４８】
すなわち、ユーザによるタイトルの再生をやめる操作である再生停止操作があるまで、ステップＳ２０からステップＳ５０を繰り返し、ユーザは単一の操作であるスキップ要求操作をするだけでザッピング（再生タイトルの変更、切り替え）を繰り返し、視聴したいタイトルを煩わしい操作なく受動的に再生を行うことができる。すなわち、ユーザはタイトルスキップ操作するのみで気に入ったタイトルを探索し、視聴することができる。
【００４９】
［２．２．３．次再生タイトル決定処理の例］
前述の再生処理におけるステップＳ４０において、再生タイトル決定部３４は次再生タイトルを決定する処理である次再生タイトル決定処理を実行する。以下に、次再生タイトル決定処理の例について、図５を参照しながら説明する。図５は次再生タイトル決定処理の一例を示したフローチャートである。
【００５０】
次再生タイトル決定処理を開始すると、ビデオレコーダ１０、より詳しくは再生タイトル決定部３４は現再生タイトルと他のタイトルとの類似度を計算する類似度算出処理を実行する（ステップＳ１１０）。類似度算出処理の内容については後述する。
【００５１】
次に、ビデオレコーダ１０、より詳しくは再生タイトル決定部３４は現再生タイトルの再生時間が所定値以下か否かを判定する（ステップＳ１２０）。所定値はユーザがそのタイトルを視聴することを好むか好まないかを判定できる値とする。なお、所定値として実際の時間長を用いてもよいし、全長に対する再生時間の割合を用いてもかまわない。
【００５２】
ステップＳ１２０において、現再生タイトルの再生時間が所定値以下であると判定した場合（Ｓ１２０、Ｙｅｓ）、ビデオレコーダ１０、より詳しくは再生タイトル決定部３４は、他のタイトルの中で最も低い類似度を次再生タイトルに決定する（ステップＳ１３０）。ユーザが現再生タイトルを視聴したくないと思っていると推測でき、現再生タイトルと類似しているタイトルを再生してもユーザの現在の嗜好に合わないと考えられるためである。
【００５３】
一方、ステップＳ１２０において、現再生タイトルの再生時間が所定値を超えると判定した場合（Ｓ１２０、Ｎｏ）、ビデオレコーダ１０、より詳しくは再生タイトル決定部３４は、他のタイトルの中で最も高い類似度を次再生タイトルに決定する（ステップＳ１３０）。ユーザが現再生タイトルの視聴したくないとは思っていないと推測でき、現再生タイトルと類似しているタイトルがユーザの現在の嗜好に合うと考えられるためである。
【００５４】
ステップＳ１３０又はＳ１４０を終了すると、ビデオレコーダ１０、より詳しくは再生タイトル決定部３４は、次再生タイトル決定処理を終了する。
【００５５】
［２．２．３．類似度算出処理の例］
前述の次再生タイトル決定処理におけるステップＳ１１０において、再生タイトル決定部３４は、現再生タイトルと他のタイトルとの類似度を計算する。以下に、類似度を算出する処理である類似度算出処理の例を図６を参照しながら説明する。図６は、類似度算出処理の例を示すフローチャートである。
【００５６】
類似度算出処理を開始すると、ビデオレコーダ１０、より詳しくは再生タイトル決定部３４は、全タイトルループを開始する（ステップＳ２０１）。全タイトルループは、現再生タイトルを除く、全タイトル（本実施の形態ではハードディスクドライブ部１８に記憶された全タイトル）それぞれについて後述するステップＳ３０２を実行するためのループ処理である。
【００５７】
次に、ビデオレコーダ１０、より詳しくは再生タイトル決定部３４は、現再生タイトルを除く全タイトルのそれぞれについて、現再生タイトルとそのタイトル（以下、類似度計算対象タイトルと呼ぶ）との類似度を算出する。
【００５８】
図７に、類似度算出方法の一例を示す。この例では、現再生タイトルのＥＰＧ情報３０１の各項目と、計算対象タイトルのＥＰＧ情報３０１の各項目とを比較し、各項目についてスコアを決定し、スコアの合計値を類似度とする方法である。この方法において、各項目について予め定めた重み付け係数を各スコアに乗じた値の合計値を類似度とするようにしてもよい。なお、スコアを決定する方法として、比較する項目の値、又は内容の組み合わせごとに、スコアの値を定めたスコアテーブルを用いる方法などが考えられるが、本発明がこの方法に限定されるわけではなく、どのような方法でスコアを決定しても本発明は成立する。
【００５９】
図６に戻り、類似度算出処理の説明を続ける。  
ステップＳ２０２において、一つのタイトルについて類似度の算出が完了すると、ビデオレコーダ１０、より詳しくは再生タイトル決定部３４は、そのタイトルの類似度を記憶して、別のタイトルを計算対象タイトルとしてステップＳ２０２を繰り返す。現再生タイトルを除いた全タイトルについて類似度の算出が終了すると、全タイトルループは終了する（ステップＳ２０３）。ここで算出された類似度は、次再生タイトル決定処理における類似度が最も低いタイトルの決定（図５、ステップＳ１３０参照）及び類似度が最も高いタイトルの決定（図５、ステップＳ１４０参照）に用いられるデータとなる。
以上で、類似度算出処理は終了する。  
【００６０】
本発明においては類似度の計算方法はいかなるものでもよく、各要素の計算方法、及び、類似度の計算方法については問わず、操作により類似度が低いものを選択することで、よりユーザが気に入る番組に遭遇しやすいという点が本発明の特徴である。
【００６１】
また、あるシリーズの話数の第１話を気に入らなかったユーザに、同じシリーズの第２話から第１０話まで見せても気に入る確率が低いことが推測され、番組のタイトル再生を行って類似度を計算するときには、類似度の高い同一シリーズを何度も再生するのではなく、類似度の低い他のシリーズを見せたほうが、ユーザにとって気に入る番組に遭遇しやすくなる点でよいこともまた明白である。
【００６２】
なお、以下のような処理を再生タイトル決定部３４に行わせるようにしても、本発明は成立する。あるタイトルＡとの類似度の最も高いものがタイトルＢで、タイトルＢとの類似度が最も高いものがタイトルＡだったとする。この場合、現再生タイトルに対して類似度が最も高いタイトルを次再生タイトルとして決定する場合、現再生タイトルがタイトルＡ或いはタイトルＢであると、再生タイトル決定部３４はタイトルＡとタイトルＢを交互に次再生タイトルに決定し、これらを繰り返し見せ続けることになるが、交互に見せてもユーザにとって利益は無いので、この繰り返しを回避する何らかの処理を再生タイトル決定部３４に行わせるようにしてよい。例えば、一度再生して気に入られなかったタイトルは、ある条件が成立するまで（例えば、別のタイトルを気に入った旨の入力操作が行われるまで）は再生しないなどとする方法である。こういった工夫は容易に思いつくことができ、実施可能である。また、次再生タイトルとして現再生タイトルに対して類似度が低いタイトルを選択する場合も同様の処理を行うようにして良い。
【００６３】
［２．２．４．再生処理の具体例］
次に、上述した再生処理の具体例を示す。図８は、ビデオレコーダ１０による再生処理の具体例を示した図である。
【００６４】
ビデオレコーダ１０は、起動後最初の再生タイトルとして１時間のドラマ「北の地から」を再生する。ユーザはこのタイトルを視聴する気がせず、再生開始後１０秒後にリモコンユニットＲのスキップボタン２０１を押下する。
【００６５】
ビデオレコーダ１０は、この再生時間１０秒が所定値（この例では、現再生タイトルの全長時間の１／２とする）以下であるので、現再生タイトルであるドラマ「北の地から」との類似度が最も低いタイトル、バラエティ「だいじょうぶじゃぁ」を次再生タイトルに決定し、これの再生を開始する。ユーザはこのタイトルも視聴する気がせず、再生開始後５秒後にリモコンユニットＲのスキップボタン２０１を押下する。
【００６６】
ビデオレコーダ１０は、この再生時間５秒が所定値（現再生タイトルの全長時間の３０分の１／２、すなわち１５分）以下であるので、現再生タイトルであるバラエティ「だいじょうぶじゃあ」との類似度が最も低いタイトル、アニメ「ドラゴンポール＃１２」を次再生タイトルに決定し、これの再生を開始する。ユーザはこのタイトルは視聴する気になったため、再生開始後２４分までこのタイトルの視聴を続け、その後リモコンユニットＲのスキップボタン２０１を押下する。
【００６７】
ビデオレコーダ１０は、この再生時間２４分が所定値（現再生タイトルの全長時間の３０分の１／２、すなわち１５分）を超えるので、現再生タイトルであるアニメ「ドラゴンポール＃１２」との類似度が最も高いタイトル、アニメ「ドラゴンポール＃１３」を次再生タイトルに決定し、これの再生を開始する。ユーザはこのタイトルは途中で視聴する気がなくなり、再生開始後１０分でリモコンユニットＲのスキップボタン２０１を押下する。
【００６８】
ビデオレコーダ１０は、この再生時間１０分が所定値（現再生タイトルの全長時間の３０分の１／２、すなわち１５分）以下であるので、現再生タイトルであるアニメ「ドラゴンポール＃１３」との類似度が最も低いタイトル、映画「スペースマン」を次再生タイトルに決定し、これの再生を開始する。以降、ユーザが停止操作を行うまでビデオレコーダ１０は、ユーザの嗜好を推測しながらタイトルの再生を継続することとなる。
【００６９】
［２．２．５．変形例］
第１の実施の形態は、以下のように変形しても実現可能である。  
（１）第１の変形例
第１の実施の形態では、ユーザが再生中のタイトルの興味がないことを示す操作のみが可能であったが、ユーザが現在再生している映像に興味を持っているかどうかを明示的に操作できるようにしてもよい。
【００７０】
図９に、変形例にかかるビデオレコーダ１０のリモコンユニットＲの例を示す。リモコンユニットＲは、スキップボタン２０１に代えて、現在再生しているタイトルである現再生タイトルに興味を持っているときの操作を行うための「○」ボタン８０１と、現在再生しているタイトルに興味を持っていないときの操作を行うための「×」ボタン８０２とを有している。
【００７１】
なお、現再生タイトルの再生中に「○」ボタン８０１、「×」ボタン８０２のいずれの操作も行われず、現再生タイトルを最後まで再生した場合、ビデオレコーダ１０、より詳しくは再生タイトル決定部３４は、ユーザが現再生タイトルに興味を持っていたと判定する。
【００７２】
ビデオレコーダ１０、より詳しくは再生タイトル決定部３４は、現再生タイトルに興味を持っているときの操作が行われた（「○」ボタン８０１が押下された）後には、現再生タイトルとの類似度が高いタイトルを次再生タイトルに決定し、一方、現再生タイトルに興味を持っていないときの操作が行われた（「×」ボタン８０２が押下された）後には、現再生タイトルとの類似度が低いタイトルを次再生タイトルに決定する。その他の構成、動作については第１の実施の形態と同様である。
【００７３】
（２）第２の変形例
次再生タイトルを決定する場合に、類似度に基づいて次再生タイトルを決定するが、これとは他に、再生タイトル決定部３４が同じタイトル名であるシリーズの次の放送回の番組を優先的に次再生タイトルとして選択するように構成してもよい。
【００７４】
例えば、あるドラマの第２話を再生していたとき、ユーザによるそのタイトルに興味があった操作が行われた場合、再生タイトル決定部３４は、類似度による判定に先立って、
次に再生するタイトルとして、同じドラマの第３話であるタイトルを次再生タイトルに決定する。毎週放送しているタイトルの再生中に前記操作が行われた場合、翌週分のタイトルを再生してもよいし、毎日放送する番組であれば、次の日のタイトルを再生してもよい。
同じ番組名のものがなかった場合、類似する番組を再生させるようにしてもよい。
【００７５】
［３．第２の実施の形態］
次に、本発明の第２の実施の形態について説明する。第２の実施の形態は、第１の実施の形態が次再生タイトルを決定する場合、現再生タイトルと他のタイトルの類似度を用いたが、タイトルをユーザの嗜好に応じて事前に複数のグループに分け、ユーザによるグループを切り替える操作や、グループ内の他のタイトルに切り替える操作によって、次に再生するタイトルを決定する。
【００７６】
本発明の第２の実施の形態は、ユーザの複数の嗜好が事前にグループに分けられていることを利用し、ユーザにとって再生したタイトルが興味あった操作が行われた場合は、
再生したタイトルと同一のグループに属した映像を再生させる。一方、ユーザにとって再生したタイトルが興味なかった操作が行われた場合は、再生したタイトルと異なるグループに属したタイトルを再生させる。
【００７７】
なお、タイトルのグループ分けは、例えば、どのフォルダにそのタイトルが属しているかを用いたり、機械によるキーワードやＥＰＧ情報を用いて自動的に分類したりする方法が考えられる。
【００７８】
第２の実施の形態にかかるビデオレコーダ１０の構成は、第１の実施の形態と同様であるので、詳細な説明は省略する（図１参照）。ただし、第２の実施の形態において再生タイトル決定部３４は、本発明のグループ化データ記憶手段に相当し、次再生タイトルをユーザの操作と、事前にタイトルをグループ分けしたデータであるタイトルグループ化データとを用いて決定するように動作し、類似度の算出や類似度を用いて次再生タイトルを自動決定する処理は行わない。なお、グループ化データ記憶手段は必ずしも再生タイトル決定部３４である必要はなく、ハードディスクドライブ部１８やその他の記憶装置がグループ化データ記憶手段として機能する構成であってもかまわない。
【００７９】
図１０は、第２の実施の形態にかかるビデオレコーダ１０のリモコンユニットＲの例を示す図である。リモコンユニットＲは、グループを切り替えるためのグループ切り替えボタン９０１、９０２と、グループ内でタイトルを切り替えるタイトル切り替えボタン９０３、９０４とを有している。
【００８０】
図１１は、タイトルグループ化データのデータ構成例を示す概念図である。図１１に示した例では、それぞれの行が一つのグループに対応し、各グループにはそのグループに分類されたコンテンツが格納されている。なお、タイトルグループ化データは、グループの類似性に応じて、類似するグループは互いに近く、類似しないグループは離れて配置されるようにグループの相互位置を決定している。さらに、タイトルも類似するタイトルは互いに近く、類似しないタイトルは離れて配置されるようにタイトルの相互位置を決定している。
【００８１】
図１２に、ユーザのリモコンユニットＲの操作によるタイトルの切り替えの例を示す。なお、この図１２の例では先の図１１に示したタイトルグループ化データを用いて、再生タイトル決定部３４が再生タイトルを決定するものとする。
【００８２】
最初にフォーカスされたタイトルがグループ「スポーツ」に属するタイトル「野球」であり、現再生タイトルは「野球」となる。タイトル「野球」再生中にユーザは、このタイトルに興味がなくリモコンユニットＲのグループ切り替えボタン９０２を押下したものとする。すると、再生タイトル決定部３４はグループ「スポーツ」に隣接するグループ「バラエティ」の中で、現再生タイトル「野球」の直下に位置するタイトル「だいじょうぶじゃぁ」を次再生タイトルに決定し、これを再生させる。
【００８３】
タイトル「だいじょうぶじゃぁ」再生中にユーザは、このタイトルに興味がなくリモコンユニットＲのグループ切り替えボタン９０２を再度押下したものとする。すると、再生タイトル決定部３４はグループ「バラエティ」に隣接するグループ「アニメ」の中で、現再生タイトル「だいじょうぶじゃあ」の直下に位置するタイトル「サルエもん」を次再生タイトルに決定し、これを再生させる。
【００８４】
次に、タイトル「だいじょうぶじゃぁ」再生中にユーザは、このタイトルに興味はないが同一グループ内の他のタイトルを視聴したいと思い、リモコンユニットＲのタイトル切り替えボタン９０４を押下したものとする。すると、再生タイトル決定部３４はグループ「アニメ」に属する他のタイトル「ドラエさん」を次再生タイトルに決定し、これを再生させる。
【００８５】
次に、タイトル「ドラエさん」再生中にユーザは、このタイトルに興味がなくリモコンユニットＲのグループ切り替えボタン９０２を再度押下したものとする。すると、再生タイトル決定部３４はグループ「アニメ」に隣接する別のグループ「ドラマ」の中で、現再生タイトル「ドラエさん」の直下に位置するタイトル「マイホームパパ」を次再生タイトルに決定し、これを再生させる。
【００８６】
［４．第３の実施の形態］
次に、第３の実施の形態について説明する。第３の実施の形態では、ユーザはスキップボタン２０１の押下のようなタイトル切り替え操作を自発的にせず、ビデオレコーダ１０が再生対象を次々と自動的に切り替える。  
ビデオレコーダ１０は、各タイトルに対応した短い映像（本明細書中、「短縮版」と呼ぶ）をハードディスクドライブ部１８に記憶している。
【００８７】
見どころを集約した短縮版として、ビデオレコーダ１０がタイトルから特徴を抽出して自動的に作成したものを使用したり、ネットワークに接続されたサーバ（図略）からチャプター情報を入手したり、本編とは別に配布される元の映像の見どころ映像(ＣＭや番組宣伝など)を利用するようにしてもよい。なお、見どころを集約した短い映像に対する本編映像がこれから放送される場合、もしくは、ダウンロードにて入手しなければ再生できない場合、ビデオレコーダ１０、より詳しくは再生タイトル決定部３４は、短縮版に対応するタイトルの再生ではなく、当該タイトルの録画予約、もしくは、ダウンロードなどを行うように動作する構成としても本発明は成立する。
【００８８】
ビデオレコーダ１０は、再生処理を開始した場合、各タイトルの見どころを集約した短縮版を次々と切り替えながらユーザに見せる。ユーザが気に入らない映像は再生時間が短いため次々と終了し、ユーザは受動的にたくさんのタイトルを判断することができる。
【００８９】
気に入った映像が見つかったとき、ユーザはその映像を最初から見たいという操作を行う。図１３に第３の実施の形態にかかるリモコンユニットＲの例を示す。リモコンユニットＲはユーザがその映像を最初から見たいという操作をするための決定ボタン１２０１を有している。なお、これ以外のボタン（例えば、スキップボタン２０１）を有していてもよいが、ここでは図示は省略している。決定ボタン１２０１が押下されるとビデオレコーダ１０は現在再生していた短縮版に対応するタイトルを最初から再生する。
【００９０】
なお、最初から再生してやはり気に入らなかった場合は、気に入らなかったときに行う操作、例えばリモコンユニットＲのスキップボタン２０１（図１３において図略）を押すことで、再度ビデオレコーダ１０は短縮版を次々と自動的に切り替えながら再生を行うようにしてもよい。
【００９１】
第３の実施の形態にかかるビデオレコーダ１０の構成は、第１の実施の形態のものと同様であるので、ここではその詳細な説明を省略する。ただし、再生タイトル決定部３４が行う再生処理は以下のように変更される。
【００９２】
図１４は、第３の実施の形態にかかるビデオレコーダ１０、より詳しくは再生タイトル決定部３４の実行する再生処理の例を示すフローチャートである。
まず、ユーザがビデオレコーダ１０にタイトルの再生を開始させる入力を行ったものとする。ユーザはビデオレコーダ１０を起動させる。ビデオレコーダ１０は起動されたら自動的にあるタイトルの短縮版を再生し（ステップＳ３１０）、ユーザは表示されている短縮版を視聴する。なお、再生処理開始時においてどのタイトルを再生するかは、どのように決めてもかまわない。例えば、従前の再生履歴などから最もユーザの嗜好に合致するタイトルをビデオレコーダ１０が自動的に判定するようにしてもよい。
【００９３】
次に、ビデオレコーダ１０、より詳しくは再生タイトル決定部３４は再生中のタイトルの再生時間及び／又は再生位置を計測し、記録する（ステップＳ３２０）。
次に、ビデオレコーダ１０、より詳しくは再生タイトル決定部３４は短縮版に対応するタイトルの先頭からの再生を要求する操作である決定操作（例えば、決定ボタン１２０１の押下）があったか否かを判定する（ステップＳ３３０）。決定操作があったと判定した場合（ステップＳ３３０、Ｙｅｓ）、ビデオレコーダ１０、より詳しくは再生タイトル決定部３４は再生中の短縮版に対応するタイトルの先頭から再生を開始する（ステップＳ３４０）。その後、ステップＳ３２０に制御を戻す。
【００９４】
一方、決定操作があったと判定した場合（ステップＳ３３０、Ｙｅｓ）、ビデオレコーダ１０、より詳しくは再生タイトル決定部３４はスキップ要求操作が行われたか否かを判定する（ステップＳ３５０）。スキップ要求操作は、短縮版又はタイトルの再生が開始した後、ユーザはそのタイトルを今視聴したくないと思ったとき、行う操作である。この実施の形態では、リモコンユニットＲのスキップボタン２０１（図１３において図示省略）の押下がスキップ要求操作に相当する。
【００９５】
スキップ要求操作がなされたと判定した場合（ステップＳ３５０、Ｙｅｓ）、ビデオレコーダ１０は、現再生タイトル／短縮版の再生時間及び／再生位置に基づいて、次に再生を開始する次再生タイトルを決定し、その短縮版の再生を開始する（ステップＳ３６０）。
【００９６】
次再生タイトルが決定しこれの短縮版の再生が開始すると、ビデオレコーダ１０、より詳しくは再生タイトル決定部３４は再びステップＳ３２０に戻り、再生中の短縮版の再生時間及び／又は再生位置を計測し、記録する（ステップＳ３２０）。
【００９７】
一方、ステップＳ３５０においてスキップ要求操作がないと判定した場合（ステップＳ３５０、Ｎｏ）ビデオレコーダ１０、より詳しくは再生タイトル決定部３４は再生停止操作があったか否かを判定する（ステップＳ３７０）。再生停止操作は、ユーザが再生中のタイトルの再生を中止することを求める処理であって、例えばリモコンユニットＲの停止ボタン（図１３において図略）の押下である。
【００９８】
再生停止操作があったと判定した場合（ステップＳ３７０、Ｙｅｓ）、ビデオレコーダ１０、より詳しくは再生タイトル決定部３４は再生を停止し、再生処理を終了する。一方、再生停止操作がなかったと判定した場合（ステップＳ３７０、Ｎｏ）、ビデオレコーダ１０、より詳しくは再生タイトル決定部３４は再びステップＳ３２０に戻り、再生中のタイトル／短縮版の再生時間及び／又は再生位置を計測し、記録する（ステップＳ３２０）。
以上で、再生処理を終了する。なお、第３の実施の形態における次再生タイトル決定処理、類似度計算処理については、第１の実施の形態のものと同様である。
【００９９】
次に、上述した再生処理の具体例を示す。図１５は、第３の実施の形態にかかるビデオレコーダ１０による再生処理の具体例を示した図である。
ビデオレコーダ１０は、起動後最初の再生タイトルとして１時間のドラマ「北の地から」の短縮版を再生する。ユーザが何らの操作もすることなく短縮版の再生は終了する。
【０１００】
ビデオレコーダ１０は、決定操作がなかったので、ユーザは短縮版に対応するタイトルに興味がないと判定し、現再生タイトルであるドラマ「北の地から」との類似度が最も低いタイトル、バラエティ「だいじょうぶじゃぁ」を次再生タイトルに決定し、これの短縮版の再生を開始する。ユーザが何らの操作もすることなく短縮版の再生は終了する。
【０１０１】
ビデオレコーダ１０は、決定操作がなかったので、ユーザは短縮版に対応するタイトルに興味がないと判定し、現再生タイトルであるバラエティ「だいじょうぶじゃあ」との類似度が最も低いタイトル、アニメ「ドラゴンポール＃１２」を次再生タイトルに決定し、これの短縮版の再生を開始する。ユーザはこのタイトルは視聴する気になったため、リモコンユニットＲの決定ボタン１２０１を押下する。
【０１０２】
ビデオレコーダ１０は、決定ボタン１２０１の押下に応じて、再生していた短縮版に対応するタイトル「ドラゴンポール＃１２」を先頭から再生を開始する。ユーザは再生開始後２４分後に、スキップボタン２０１の押下を行った。
【０１０３】
ビデオレコーダ１０は、この再生時間２４分が所定値（現再生タイトルの全長時間の３０分の１／２、すなわち１５分）を超えるので、現再生タイトルであるアニメ「ドラゴンポール＃１２」との類似度が最も高いタイトル、アニメ「ドラゴンポール＃１３」を次再生タイトルに決定し、これの再生を開始する。ユーザはこのタイトルは途中で視聴する気がなくなり、再生開始後１０分でリモコンユニットＲのスキップボタン２０１を押下する。
【０１０４】
ビデオレコーダ１０は、この再生時間１０分が所定値（現再生タイトルの全長時間の３０分の１／２、すなわち１５分）以下であるので、現再生タイトルであるアニメ「ドラゴンポール＃１３」との類似度が最も低いタイトル、映画「スペースマン」を次再生タイトルに決定し、これの短縮版の再生を開始する。以降、ユーザが停止操作を行うまでビデオレコーダ１０は、ユーザの嗜好を推測しながら短縮版及びタイトルの再生を継続することとなる。
【０１０５】
［５．その他、変形例など］
（１）類似度を決定する基準の変更
ビデオレコーダ１０、より詳しくは再生タイトル決定部３４は、次再生タイトルを決定する複数の基準を予め複数持っているようにしてもよい。ここで言う基準とは、例えば類似度の算出方法などである。ユーザが現再生タイトルについて興味なかったことを示す操作（例えば、スキップボタン２０１の押下、「×ボタン」の押下など）を行った場合、現在再生しているタイトルを選んだ根拠が間違っていたことが容易に推測できる。これを受け、ビデオレコーダ１０、より詳しくは再生タイトル決定部３４は、前回次再生タイトルを決定したときに用いた基準とは別の基準を用いて、次回の次再生タイトルの決定を行うようにする。
【０１０６】
例えば、嗜好情報などを用いてユーザのジャンルに対する嗜好度によって優劣が付けられていたとする。これを用いて次再生タイトルを決定していた場合、次に再生するタイトルがユーザにとって興味がなかったとする。すると、ユーザは興味がないときの操作を行う。それを受けビデオレコーダ１０、より詳しくは再生タイトル決定部３４は、ユーザの放送局に対する嗜好度によって優劣が付けられているとき、この優劣に従って次に再生するタイトルを決定する。
【０１０７】
こうすることにより、次に再生するタイトルの決定に用いる評価方法が、ユーザの現在の気分にとって適していなかったときには、ユーザの現在の気分にとって興味のないタイトルと類似したタイトルを勧め続けることがない。
【０１０８】
なお、上記の例では、簡単のため、優劣を決定する要素をジャンル、放送局という一意の要素で説明したが、複数の要素を重み付けによって優劣を決定する評価基準も同様である。
【０１０９】
また、複数の要素を重み付けによって優劣を決定する評価基準にて次再生タイトルを決定するとき、次再生タイトルがユーザにとって興味がなかった場合において、複数の要素を重み付けによって優劣を決定する評価基準を構成する重み値を次再生タイトルが適切に決定できるように重み値を変更することも同様である。
【０１１０】
（２）タイトル情報、タイトルマップの表示
ユーザによって操作をされ、再生タイトルが切り替わったときに、一時的に、現再生タイトルのタイトル名や、ジャンルなどのタイトル情報の表示をしてもよい。ユーザの複数の嗜好が事前にグループに分けられている場合に、グループ名を表示するようにしてもよい。
【０１１１】
それとは別に、第２の実施の形態のようにタイトルがグループに分けられている場合、各グループのタイトルが何タイトルあるか把握するために、タイトルを切り替えたときに、現在どのグループのどのタイトルを再生しているかユーザが把握できるようにするために、タイトルグループ化データを視覚化した２次元のマップ（タイトル配置マップと呼ぶ）を表示してもよい。
【０１１２】
タイトル配置マップ内には、現再生タイトルを示すカーソルが表示されており、ユーザがリモコンユニットＲのグループ切り替えボタン９０１、９０２により異なるグループに切り替えを行えば再生するタイトルのカーソルは縦に移動し、ユーザがリモコンユニットＲのタイトル切り替えボタン９０３、９０４により同じグループの別タイトルに切り替えを行えば再生するタイトルのカーソルは横に移動する。
【０１１３】
図１６は、タイトル情報及びタイトル配置マップを表示した場合のモニタ４１に表示される画面例を示す。この例では、モニタ４１の画面左上部にタイトル情報１４０１が表示されており、画面右上部にタイトル配置マップ１４０２が表示されている。
【０１１４】
図１７は、図１６において表示していたタイトルから別のタイトルに切り替わった場合の、モニタ４１に表示される画面例を示す。図１７において、タイトル情報１４０１タイトルマップ１４０２は、新たに現再生タイトルとなったタイトルに対応するよう、変化している。
【０１１５】
（３）複数候補の表示
前述の実施の形態では、ユーザによって操作をされ、再生タイトルが切り替わり、
次に再生するタイトルが自動的に再生されるとしたが、現再生タイトルの再生を切り替えず、現再生タイトルの再生と同時に複数の次再生タイトル候補をモニタ４１に表示させてユーザに提示してもよい。ユーザによって行われる操作にて、現在再生していたタイトルに興味があったか、興味がなかったかを反映して複数の次再生タイトル候補を表示する。図１８に、複数の次再生タイトル候補が表示された場合の画面例を示す。この例では、画面下方に、各次再生タイトル候補となるタイトルの再生用の小ウインドウ１６０１が表示されるようになっている。
【０１１６】
現再生タイトルの再生時間がわずかで操作された場合は、興味なかったと判断して、次再生タイトル候補を表示する小ウインドウ１６０１にはさまざまな種類の映像を提出するのが望ましい。現再生タイトルの再生時間が長ければ、興味があったと判断して、候補には似たような種類の映像や、続編の映像を提出するのが望ましい。
【０１１７】
（４）未入手のタイトルの候補、来週放送する番組の取得  
ユーザによって興味があるという操作を行われたとき、番組表の情報を用いて、翌週に現在再生しているタイトルと類似する番組が存在して、それが他の候補よりも最もふさわしいとしたとき、録画予約をしてもよい。他にも次に再生するべきタイトルが存在することがわかっている状態で、ユーザが未入手の場合、ダウンロードにより入手できる場合や、ＤＶＤなどで販売している場合など、ユーザが入手できる方法を提示してもよい。
（５）組み合わせ
なお、上記の実施の形態、変形例は互いに組み合わせても実施可能であり、そのような組み合わせも本発明の範囲に含まれることは言うまでもない。
【０１１８】
［６．利点］
本発明（請求項１−３）によれば、単一の操作で別映像が再生できるので煩わしい操作なしに受動的な再生が可能となる効果がある。
本発明（請求項７−１０）によれば、ユーザの操作に応じて、興味を持った短縮された映像に対して、煩わしい操作なしに本編を見ることができる効果があり、煩わしい操作なく、短縮された映像から効率的に興味を持った映像を探索することができる効果がある。
本発明（請求項４、５、１１、１２、１３、１４）によれば、現在再生している映像に対してのユーザの操作によって、気に入るかどうかを検知でき、次の映像を適切に決定できる効果がある。
本発明（請求項６、１５、１６）によれば、タイトル内容に関する情報の表示で、タイトル内容の理解を補助する効果がある。
本発明（請求項１７−１９）によれば、限られた範囲内の別タイトルを再生するよりも、適切なものをユーザに提示することができる。
【図面の簡単な説明】
【０１１９】
【図１】本発明の再生装置の構成を示すブロック図
【図２】第１の実施の形態にかかるリモコンユニットの斜視図
【図３】タイトル属性情報のデータ構成例を示す図
【図４】再生処理の一例を示すフローチャート
【図５】次再生タイトル決定処理の一例を示したフローチャート
【図６】類似度算出処理の例を示すフローチャート
【図７】類似度算出方法の一例を示す図
【図８】再生処理の具体例を示した図
【図９】変形例にかかるリモコンユニットの例を示す斜視図
【図１０】第２の実施の形態にかかるリモコンユニットの例を示す斜視図
【図１１】タイトルグループ化データのデータ構成例を示す概念図
【図１２】リモコンユニットの操作によるタイトルの切り替えの例を示す図
【図１３】第３の実施の形態にかかるリモコンユニットの例を示す図
【図１４】第３の実施の形態にかかる再生処理の例を示すフローチャート
【図１５】第３の実施の形態にかかる再生処理の具体例を示した図
【図１６】タイトル情報及びタイトル配置マップを表示した場合の画面例を示す図。
【図１７】図１６において表示していたタイトルから別のタイトルに切り替わった場合の画面例を示す図
【図１８】複数の次再生タイトル候補が表示された場合の画面例を示す図
【符号の説明】
【０１２０】
１０    …  ビデオレコーダ
２３    …  デコーダ部
３２    …  操作部
３４    …  再生タイトル決定部
Ｒ    …  リモコンユニット
【図１】
2009147511.tif 000003
【図２】
2009147511.tif 000004
【図３】
2009147511.tif 000005
【図４】
2009147511.tif 000006
【図５】
2009147511.tif 000007
【図６】
2009147511.tif 000008
【図７】
2009147511.tif 000009
【図８】
2009147511.tif 000010
【図９】
2009147511.tif 000011
【図１０】
2009147511.tif 000012
【図１１】
2009147511.tif 000013
【図１２】
2009147511.tif 000014
【図１３】
2009147511.tif 000015
【図１４】
2009147511.tif 000016
【図１５】
2009147511.tif 000017
【図１６】
2009147511.tif 000018
【図１７】
2009147511.tif 000019
【図１８】
2009147511.tif 000020